(57)【特許請求の範囲】
【請求項１】
受電電極に接続される少なくとも１つの光源と、
電界を生成するための少なくとも２つの給電電極と、
を含み、
前記少なくとも１つの光源は、少なくとも２つの前記受電電極に接続され、
前記少なくとも２つの受電電極と共に光源は、前記少なくとも２つの給電電極間の空間内に位置付けられ、
前記少なくとも２つの受電電極と前記電界との相対的配置は、変化可能である、
照明デバイス。
【請求項２】
光を生成する方法であって、
ａ）電界を生成するステップと、
ｂ）前記電界に少なくとも２つの受電電極を容量結合するステップと、
ｃ）前記少なくとも２つの受電電極が、受け取ったエネルギーで光源に給電するステップと、
ｄ）前記少なくとも２つの受電電極と前記電界との相対的配置を変化させるステップと、
を含む、方法。
【請求項３】
前記電界は、可変の幾何学的配置で生成されることを特徴とする、請求項２に記載の方法。
【請求項４】
少なくとも３つの給電電極と、前記少なくとも３つの給電電極に可変の大きさの電圧を供給するコントローラとを含むことを特徴とする、請求項１に記載の照明デバイス。
【請求項５】
少なくとも１つの受電電極及び／又は少なくとも１つの光源が、前記電界に対して及び／又は前記少なくとも２つの給電電極に対して移動可能であることを特徴とする、請求項１に記載の照明デバイス。
【請求項６】
移動可能な前記少なくとも１つの受電電極及び／又は少なくとも１つの光源の移動をもたらす、支える、及び／又は前記移動に影響を及ぼすステアリングユニットを含み、前記ステアリングユニットは、好適には、熱によって動力が供給されることを特徴とする、請求項５に記載の照明デバイス。
【請求項７】
前記少なくとも２つの受電電極及び／又は前記少なくとも１つの光源を埋め込む非固体の充填材を有する容器を含むことを特徴とする、請求項１に記載の照明デバイス。
【請求項８】
前記電界から信号を受け取る少なくとも１つの追加の受電電極を含み、前記信号によって、前記少なくとも１つの光源の光出力が制御され、
前記少なくとも１つの追加の受電電極は、他の受電電極とは別の空間的向きを有することを特徴とする、請求項１に記載の照明デバイス。
【請求項９】
前記少なくとも２つの受電電極は、少なくとも部分的に絶縁されていることを特徴とする、請求項１に記載の照明デバイス。
【請求項１０】
前記少なくとも２つの受電電極、前記少なくとも２つの給電電極、前記容器及び／又は前記容器の前記充填材は、少なくとも部分的に透明であることを特徴とする、請求項７に記載の照明デバイス。
【請求項１１】
前記少なくとも１つの光源は、ＬＥＤを含むことを特徴とする、請求項１に記載の照明デバイス。
【請求項１２】
前記少なくとも２つの受電電極と前記少なくとも１つの光源とは、整流回路を介して接続されることを特徴とする、請求項１に記載の照明デバイス。
【請求項１３】
前記少なくとも１つの光源は、透明の封止材内に埋め込まれることを特徴とする、請求項１に記載の照明デバイス。
【請求項１４】
少なくとも１つの給電電極は、メッシュからなることを特徴とする、請求項１に記載の照明デバイス。
【請求項１５】
前記電界は、給電電極にＡＣ電圧を印加することによって生成されることを特徴とする、請求項２に記載の方法。
【発明の詳細な説明】
【技術分野】
【０００１】
本発明は、例えばＬＥＤである少なくとも１つの光源を含む照明デバイスと、光を生成する方法とに関する。
【背景技術】
【０００２】
米国特許出願公開第２００３／０６３４６０Ａ１号は、少なくとも１つの光チップがその中で自由に移動できる液体容器を含む照明デバイスを開示する。光チップは、光源と、当該光源に給電する電池とを含む。
【発明の概要】
【発明が解決しようとする課題】
【０００３】
本発明は、柔軟性のある光の生成、特に、３次元での光源の柔軟性のある分散配置を可能にする手段を提供することを目的とする。
【課題を解決するための手段】
【０００４】
当該目的は、請求項１に記載の照明デバイスと、請求項２に記載の方法とによって達成される。好適な実施形態は、従属項に開示される。
【０００５】
本発明の第１の態様によれば、本発明は、以下の構成要素を含む照明デバイスに関する。
ａ）少なくとも１つの光源、即ち、光を生成しかつ放射する要素と、当該光源に接続される少なくとも２つの電極。参照のために、これらの電極は、電力の受け取りを目的としているため、以下、「受電電極」と呼ばれる。光源と受電電極とからなるシステムは、以下、時に「光ユニット」とも呼ばれる。受電電極の形状及び相対的配置は完全に任意である。通常、各受電電極は、ある領域において２次元的な拡張を有し、２つの受電電極の当該領域は、互いに平行であることが好適である。更に、光源と受電電極とは、通常、堅く接続されているが、一般に、これらの構成要素は、互いに対し移動可能であってよい。
ｂ）電界を生成するための少なくとも２つの電極。これらの電極は、以下、「給電電極」と呼ばれ、受電電極に（電界を介して容量的に）電気エネルギーを供給することを目的としていることを示す。給電電極の形状及び相対的配置は完全に任意である。通常、受電電極は、（給電電極への直接的な電気的接触を必要とすることなく）給電電極間の空間内に位置付けられる。
【０００６】
更に、照明デバイスは、受電電極と、給電電極によって生成された電界との相対的配置は、照明デバイスの動作中に変化できるという特徴を有する。
【０００７】
本コンテキストでは、「相対的配置（relative configuration）」は、受電電極と電界（即ち、力線）との幾何学的配置（geometry）を指す。したがって、単なる電界の大きさの増加又は減少は、配置変化とはみなされない。
【０００８】
相対的配置の変化は、選択的に、即ち、ユーザ又は自動制御デバイスの制御下で生じるか、又は、例えば受電電極と給電電極との間の相対的位置のランダム変動によってもたらされる。最も好適には、相対的配置の変化には、電界への受電電極の電気的結合の顕著な変化が伴う。即ち、受電電極によって捕捉されるエネルギー量が変動し、光源の強度の知覚可能な変化がもたらされる。したがって、受電電極によって捕捉されるエネルギーは、例えば最大値（Ｍ）と最大値の８０％（即ち、０．８Ｍ）との間、好適には最大値とその３０％（即ち、０．３Ｍ）との間、最も好適には最大値とほぼゼロとの間で変動する。
【０００９】
第２の態様によれば、本発明は、光を生成する方法に関し、この光の生成は、具体的には、上記の種類の照明デバイスを用いて達成される。当該方法は、以下のステップを含むが、記載された順序で又は任意の他の適切な順序で実行される。
ａ）例えば、上記の種類の少なくとも２つの給電電極に（ＡＣ）電圧を供給することによって、電界を生成するステップ。
ｂ）上記の電界に少なくとも２つの受電電極を容量結合し、この結合によって受電電極が受け取ったエネルギーで光源に給電するステップ。
ｃ）受電電極と電界との相対的配置を変化させるステップ。
【００１０】
上で規定された照明デバイス及び方法は、同じ発明概念、即ち、エネルギーは、電界及び受電電極を介して光源に伝達され、当該電界と電極との相対的配置は変化できるという概念に基づいている。したがって、照明デバイスについて提供された説明及び定義は、当該方法にも有効であり、また、その逆も同様である。更に、以下に説明される本発明の好適な実施形態は、当該照明デバイスだけでなく当該方法によっても実現される。
【００１１】
当該照明デバイス及び方法は、電力が、非常に柔軟な態様で、電界を介して光源に供給されるという利点を有する。更に、この電力の伝達は、受電電極と電界との相対的配置を変化させることによって、（能動的に又は受動的に）容易に変調される。したがって、光源の複雑な配線又は制御回路が不要なため、具体的には、光源及び／又は移動可能な光源の柔軟性のある３次元分散配置が可能となる。
【００１２】
本発明の第１の好適な実施形態によれば、電界は、可変の（力線の）幾何学的配置で生成される。
【００１３】
これは、例えば、少なくとも３つの給電電極と、当該３つの給電電極に、可変の大きさの電圧を供給するコントローラとを提供することによって達成される。コントローラは、特に３つの給電電極に、可変の相対比の電圧を提供する。例えば３つの給電電極は、それぞれ、最初に、Ｖ１、Ｖ２及びＶ３が供給され、後に電圧Ｖ１’、Ｖ２’及びＶ３’が供給される。比（Ｖ１：Ｖ２）、（Ｖ１：Ｖ３）、（Ｖ２：Ｖ３）のうちの少なくとも１つは、対応比（Ｖ１’：Ｖ２’）、（Ｖ１’：Ｖ３’）、（Ｖ２’：Ｖ３’）とは異なる。このように電圧を変化させることは、給電電極間に生成される電界が、可変の力線の幾何学的配置を有するということを意味する。したがって、給電電極間で定常的に位置付けられる電界と受電電極との間の立体配置は、電界の幾何学的配置が変化することによって変化する。一般に、受電電極の定常配置に対し電界の立体配置を変化させることは、光源へのエネルギー供給を制御する１つの方法である。
【００１４】
なお、上記の実施形態は更に、給電電極のうちの１つ以上の電極が、一時的に電圧に接続されていない（即ち、浮遊している）又は接地に接続される（ゼロ電圧）場合も含む。
【００１５】
本発明の別の実施形態によれば、少なくとも１つの受電電極及び／又は少なくとも１つの光源は、電界に対して及び／又は給電電極に対して移動可能である（定常電圧が給電電極に印加される場合、電界は変化せず、電界に対する移動性は、通常、給電電極に対する移動性と同等である）。受電電極を、給電電極に対して移動させることも、相対的配置、即ち、光源への電力の伝達を変化させるもう１つの方法である。当然ながら、上記の可能性、即ち、可変の幾何学的配置の電界の生成と組み合わされてもよい。
【００１６】
上記の実施形態の更なる発展では、照明デバイスは、移動可能な受電電極及び／又は移動可能な光源の移動をもたらす、支える、及び／又は当該移動に影響を及ぼすステアリングユニットを含む。ステアリングユニットは、例えば、移動を能動的に生成する電気モータ又はアクチュエータを含む。
【００１７】
能動的ステアリングユニットは、具体的には、熱、例えば光源又は照明デバイス若しくは光ユニット内の任意の他の構成要素の動作によってなんらかの方法で生成される余剰の熱によって、動力が供給される。熱は、例えば光ユニットの比重を変化させるために使用される。例えば光ユニット内の流体又は気泡は、加温時に膨張するので、光ユニットの比重を減少させる。適切な非固体の充填材が光ユニットの周りにあるとすると、光ユニットは、上昇し、したがって、給電電極の電界に対するその位置を変化させる。
【００１８】
これに加えて又は代わりに、ステアリングユニットは、特定のデザインの光ユニットを含む。光源の本体又は受電電極は、例えば特殊な態様で（曲げられた、湾曲された等）に成形され、それにより、上昇中又は下降中、光源は、少なくとも１つの軸の周りを回転する。これは、給電電極に対する受電電極の位置を変化させる更なる方法で、特定の光源からの光量に強い影響を与える。或いは、光源における損失によって生成された熱が、光ユニットの付近における対流を刺激し、（光源の本体又は受電電極の形状との相互作用の後）、光ユニットの移動を作動させる。
【００１９】
本発明の別の好適な実施形態では、非固体の充填材を含む容器が提供される。当該充填材には、光源及び／又は受電電極が埋め込まれる。したがって、受電電極が移動可能である上記の実施形態を実現することが可能である。非固体の充填材は、例えば流体又はゲルである。
【００２０】
上記の実施形態の更なる発展では、充填材は、約１よりも大きい、好適には約２よりも大きい、最も好適には約５よりも大きい比誘電率（εｒ）を有する。したがって、電界が充填材を介して受電電極に良好に結合することが保証される。
【００２１】
補足として、光ユニット（即ち、光源及びその関連の受電電極）は、電界から信号を受け取る少なくとも１つの追加の（第３の）受電電極を含む。当該信号によって、光源の光出力が制御される。当該追加の受電電極は、特に、光ユニットの他の受電電極とは異なる空間的向きを有する。他の受電電極のいずれかに関するこの追加の受電電極を介して受け取られる信号は、光源（例えば、ＬＥＤ）への駆動電流に追加されるか又は当該電流から引かれる。或いは、光の輝度、光の色、光の方向等に任意の他の態様で影響を与える。これは、光ユニットの位置及び向きにおける（複数方向における）全フィールドへの生成された光のより詳細な関連付けによって、より高い自由度を有することを可能にする。
【００２２】
上記の追加の受電電極を有する好適な実施形態は、少なくとも１つの光ユニット内の少なくとも１つの光源がＬＥＤである場合に達成される。例えば、従来のＬＥＤを用いた場合は、電力は、ＬＥＤの２つの電極（例えばアノード及びカソード）に供給されなければならない。給電、即ち、２つの電極を流れる電流は、２つの関連の受電電極の電流に依存するか又は（極性を除き）同等である。これに代えて、追加の（即ち、第３の）受電電極が、追加の受電電極内の電流はＬＥＤ内の電流に追加されるか又は当該電流から引かれるように、ＬＥＤの給電ユニットに結合されてもよい。電流を追加するための受動的実施は、例えば（既知の３位相ブリッジ整流器のように）３つの入力部を有する整流器を使用する。制御可能性を増加するために、電流を制限する追加の要素が、追加の受電電極から整流器への接続部に結合されてもよい。これらの要素は、２つの元の受電電極を介する任意の信号が、減衰なく又は低い減衰のみで、ＬＥＤに与えられる一方で、追加の受電電極を介する信号は、特定の周波数範囲にあるときに最大の効果を有するように、周波数に依存する制限効果を有する。
【００２３】
上記の受動的実施形態に加えて又は代えて、追加の受動電極は、任意選択的に、他の受電電極とは別の光源に対する動作効果を有する。追加の受動電極は、例えば他の受電電極から光源への給電を制御する制御ユニットへの入力を提供する。
【００２４】
任意選択的に、受電電極は、その外表面において、少なくとも部分的に絶縁される。これは、上記の移動可能な受電電極の実施形態では、当該受電電極と他の構成要素間の電気的短絡が阻止されるので、好適である。
【００２５】
光源の周りに配置される材料は、好適には（少なくとも部分的に）透明で、生成された光の妨げられない放射を可能にする。特に、受電電極、給電電極、上記の容器及び／又はその充填材は、少なくとも部分的に透明である。
【００２６】
光源は、一般的に、任意の適切な技術によって実現される。好適には、光源は、低電力消費量及び発熱に関し特に好適である発光ダイオード（ＬＥＤ）を含む。
【００２７】
別の好適な実施形態では、受電電極と関連の光源との間に整流回路が設けられる。したがって、受電電極によって捕捉された交流電圧は、例えばＬＥＤを駆動するために必要である直流電圧（又は電流）に変換される。
【００２８】
光源は、透明の（固体）封止材内に埋め込まれることが好適である。したがって、光源と関連の電気的構成要素とはシールドされ、機械的安定性が与えられ、また、光源は、受電電極に接続される。任意選択的に、封止材は、光源によって生成された光の色変換も提供する。
【００２９】
給電電極のうちの少なくとも１つの給電電極は、メッシュ又はグリッドからなる。したがって、比較的大きい領域から出る電界が実現される一方で、給電電極は、（少なくとも部分的に）透明のままである。
【００３０】
給電電極から受電電極への効率のよい電力伝達が、（その大きさ及び／又は幾何学的配置が）時間変動する電界を用いて達成される。このような電界は、例えば、給電電極にＡＣ電圧が供給されると生成される。このＡＣ電圧の周波数は、例えば０．５ＭＨｚ以上のように比較的高いものが選択される。
【図面の簡単な説明】
【００３１】
本発明のこれらの及び他の態様は、以下に説明される実施形態を参照することにより明らかとなろう。
【００３２】
【図１】図１は、３つの光源と４つの給電電極とを含む本発明の第１の実施形態による照明デバイスの平面図を概略的に示す。
【図２】図２は、図１の照明デバイスの光ユニットを斜視図で示す。
【図３】図３は、受電電極と光源とを接続する３つの可能な回路を示す。
【図４】図４は、電圧が、２つの対向する給電電極からなる第１のセットに印加される場合の図１の照明デバイスを示す。
【図５】図５は、電圧が、２つの対向する給電電極からなる第２のセットに印加される場合の図１の照明デバイスを示す。
【図６】図６は、電圧が、隣接する給電電極からなるセットに印加される場合の図１の照明デバイスを示す。
【図７】図７は、本発明による第２の照明デバイスの斜視図を概略的に示す。
【図８】図８は、図７の照明デバイスの光ユニットを、斜視図で示す。当該光ユニットは３つの受電電極を有する。
【図９】図９は、容量結合の計算のための等価回路図を示す。
【００３３】
同様の参照番号又は１００の整数倍で異なる参照番号は、図面中、同一の又は同様の構成要素を指す。
【発明を実施するための形態】
【００３４】
一般照明のためだけでなく修飾目的のＬＥＤに基づいた光源は、ＬＥＤが効率の良さと、高いレベルの柔軟性とを提供することにより、重要となってきている。通常は、光源の駆動及び配線努力は、柔軟性の度合いに応じる。特に、動き又は３Ｄランプ配置が伴う場合、柔軟性は、しばしば、配線又は多自由度の制御によって実際的な側面によって制限される。したがって、任意の配線問題によって制限されない３Ｄ照明物体を有することが望ましい。
【００３５】
本発明は、ＬＥＤ光源の容量給電を提供することによって、上記の問題に対処する。一実施形態では、（好適には透明壁を有する）空間又はキャビティが、特定の誘電率を有する材料（好適には、油又は水といったゲル又は液体）で満たされる。光ユニットは、当該材料内に埋め込まれる。これらの光ユニットは、「受電電極」と少なくとも１つのＬＥＤとからなる。キャビティは更に、キャビティ内に電界を生成するための「給電電極」が具備される。複数（対の）給電電極を使用することによって、キャビティ内の様々な領域が励起され、電界の方向も影響を受ける。これらの領域における光源は、電界をピックアップして点灯する。光源が最終的に光を放射するかどうかは、光源の位置に依存するが、電界の方向に対する関連の受電電極の向きにも依存する。非常に密接して位置付けられるが異なる向きを有する複数の光源が、電界の方向によって選択的に対処される。したがって、照明デバイスは、光源の位置付け及び方向付けにおける高度な柔軟性と、自由とを提供する。
【００３６】
図１は、本発明の第１の実施形態による照明デバイス１００の概略平面図を示す。照明デバイス１００は、以下の構成要素を含む。
‐例えば液体又はゲルである充填材１０２を含むケーシング又は容器１０１。
‐容器１０１の外壁に沿って分散配置され、コントローラ１１０に別個に接続される４つの給電電極１０３Ａ、１０３Ｂ、１０３Ｃ、１０３Ｄ。コントローラ１１０によって、電圧が、電極の各々に選択的に印加される。或いは、全部又は一部の給電電極が、容器１０１の壁の内側にあってもよい。
‐３つの光ユニット１０４ａ、１０４ｂ及び１０４ｃ。各光ユニットは、光源１０５ａ、１０５ｂ、１０５ｃを、関連の受電電極１０６ａ、１０６ｂ及び１０６ｃと共にそれぞれ含む。光ユニットは、充填材１０２内に埋め込まれ、光ユニットは、所与の場所で固定されていても、浮遊していてもよい。
【００３７】
図２は、光源１０５ａと関連する受電電極１０６ａとを有する光ユニット１０４ａの例示的な例を斜視図で示す。光源１０５ａは、導線によって、光源１０５ａの両側で互いに平行に配列された２つの平面受電電極１０６ａに接続されることが見て取れる。受電電極１０６ａは、給電電極との容量結合のために十分に大きい面積を提供する。
【００３８】
好適には、受電電極１０６ａは、ＬＥＤ１０５ａからの発光を遮断しないように透明である。或いは、電極は、特に光源に面する側面において、例えば白色面又はミラーといった少なくとも光源によって放射された光の波長スペクトルに対し、高い反射性を有する。更に、受電電極１０６ａの外側は、隣接する光ユニットとの短絡を防止するために、電気的に非伝導性の層で覆われる。これは、光ユニットが移動可能である場合に特に重要である。
【００３９】
受電電極１０６ａ間の空間は、周囲とは異なる（例えば低い）誘電率を有する封止材（図示せず）で充填される。この材料は、ＬＥＤ１０５ａからの光とも相互に作用する（例えば光を拡散する、その色を変換させる等）。
【００４０】
図３は、受電電極によって捕捉される交流電圧が使用できるように、ＬＥＤ光源１０５ａがどのように受電電極１０６ａに電気的に接続可能であるか３つの可能性を示す。第１の実施形態（一番上の図）では、２つのＬＥＤ１０５ａが、受電電極１０６間で、並列だが異なる極性で接続される。
【００４１】
第２の実施形態（真ん中の図）では、ＬＥＤ１０５ａが、４つのダイオードＤによって実現される整流器回路を介して受電電極１０６ａに接続される。
【００４２】
最後の実施形態（一番下の図）では、ＬＥＤ１０５ａが、一般的なＡＣ／ＤＣコンバータに接続される。
【００４３】
或いは、単極ＬＥＤが使用されてもよく、また、反対の極性のために何らかのバイパスが提供されてもよい。
【００４４】
図４は、電圧が、コントローラ１１０によって、２つの対向する給電電極１０３Ａ、１０３Ｃからなる第１のセット（のみ）に印加される場合の図１の照明デバイス１００を示す。したがって、電界Ｅがこれらの電極間に生成される。
【００４５】
次に、電源の給電が容量結合を介して生じる。したがって、励起電圧（又は電界Ｅ）は、比較的高い周波数（例えば１ＭＨｚを超える）ＡＣであるべきである。電界Ｅのピックアップは、受電電極１０６ａ、１０６ｂ、１０６ｃを介して行われる。
【００４６】
容器１０１内のキャビティの充填材１０２は、好適には高い誘電率を有する。この材料は、光源１０５ａ、１０５ｂ、１０５ｃの受電電極１０６ａ、１０６ｂ、１０６ｃを、キャビティの外側の給電電極１０３Ａ、１０３Ｂ、１０３Ｃ、１０３Ｄを結合させるのに役立つ。
【００４７】
キャビティ内では、交流電界Ｅが作られる。電界Ｅの方向及び強度は、給電電極の幾何学的配置と供給電圧とに依存する。（導電性の）受電電極も電界に影響を及ぼす。図４乃至図６では、受電電極の影響は無視される。
【００４８】
図４では、光源１０５ａ、１０５ｂ、１０５ｃは、様々な位置においてかつ様々な向きで（ここでは、ｚ軸の周りの回転のみを使用）配置され、電界Ｅにさらされる。この構成では、ＬＥＤ１０５ａは、一部のエネルギーを受け取り、ＬＥＤ１０５ｂは十分に給電され、ＬＥＤ１０５ｃはオフである。
【００４９】
図５では、対向する給電電極１０３Ｂ、１０３Ｄからなる違うセットに、コントローラ１１０によって電圧が供給される。今度は、ＬＥＤ１０５ａは、一部のエネルギーを受け取り、ＬＥＤ１０５ｃは十分に給電され、ＬＥＤ１０５ｂはオフである。
【００５０】
図６では、２つの隣接する給電電極１０３Ａ、１０３Ｂに、コントローラ１１０によって電圧が供給される。今度は、ＬＥＤ１０５ａだけが十分に給電され、ＬＥＤ１０５ｂ、１０５ｃはオフである。これらの例は、各光源へのエネルギー伝達が、最大値（十分に給電）とゼロ（オフ）との間で変動することを示す。
【００５１】
図７は、コントローラ２１０に接続され、両側にある２つの給電電極２０３Ａ、２０３Ｂを有する円筒容器２０１を含む照明デバイス２００である別の実施形態を示す。関連の光源と様々に方向付けられた受電電極とを有する３つの光ユニット２０４ａ、２０４ｂ、２０４ｃも容器内に示される。キャビティの両側の給電電極は、導電性が高く、また、好適には透明である。或いは、透明材料及び導体のグリッド（メッシュ）を使用して給電電極を実現してもよい。
【００５２】
図８は、上記の光ユニット２０４ａのうちの例示的な光ユニットを斜視図で示す。図２の場合と同様に、光源２０５ａは、導線によって、光源２０５ａの両側において互いに平行に配置され、光源を駆動するための電力を提供する２つの平面受電電極２０６ａに接続される。更に、光ユニットは、電界Ｅから信号を受け取る追加の受電電極２０７ａを含み、当該信号によって、光源２０５ａの光出力が制御される。他の受電電極のうちの任意の電極に関してこの追加の受電電極２０７ａを介して受け取られる信号は、例えば、ＬＥＤ２０５ａへの駆動電流に追加されるか又は当該電流から引かれる。図３の回路では、追加の受電電極（２０７ａ）は、例えば１つ（「通常」）の受電電極（１０６ａ）の入力ノードに単に追加される。図３の一番下におけるような構造体が使用されることが好適であるが、３つの入力部、最も単純な場合には３つの位相フル整流器を有するＡＣ／ＤＣコンバータを使用する。
【００５３】
更に、移動可能な光ユニット２０４ａの動きをもたらすことを目的としているステアリングユニット２０８ａが見て取れる。ステアリングユニット２０８ａは、例えば光源２０５ａの余剰の熱によって加熱されると膨張する液体又はガスで充填された膨張可能な容器を含む。これは、光ユニット２０４ａの比重を変化させ、照明デバイス２００の容器２０１内での光ユニットの上昇をもたらす。
【００５４】
図８に示される等価回路について、給電電極から光源への結合容量Ｃｃｏｕｐと、光源のシャント容量Ｃｓｈｕｎｔとが計算された。光源の充填（fill）は、εｒ＝１に設定される一方で、キャビティ内の充填媒体には、εｒ＝８０が選択された。ある例示的な形状データ（１５ｃｍのキャビティ直径、３ｃｍの光源電極直径、１ｃｍの光源距離）を用いて、容量は、Ｃｃｏｕｐ＝３．５ｐＦ及びＣｓｈｕｎｔ＝０．６ｐＦに近似された。
【００５５】
これらのキャパシタンスは低いが、高周波数（例えば１０ＭＨｚ）及び妥当な電圧（例えば７０Ｖｒｍｓ）を単に選択することによって、ＬＥＤに相当な電流を供給することができる。平均ＬＥＤ電流は１２ｍＡであり、これは、低出力ＬＥＤを駆動するには十分である。他の形状又は電気的配置は、他の電流をもたらす。
【００５６】
本発明の上記の実施形態は、キャビティ内に最大で４つの電極までしか使用されない。一般に、給電電極、光源及び受電電極の分散配置及び／又は数は、大きく異なる。例えば追加の（例えば頂部及び底部の）電極を用いた場合、これらに対処するために、光源の位置及び向きにおいてより多くの自由度が使用される。更に、構造化された又は異なるように成形された受電電極が使用されてもよい。
【００５７】
要約すると、本発明は、任意の配線問題によって制限されず、また、制御努力を最小限にする３Ｄ照明物体を提案する。少なくとも１つの受電電極に接続される少なくとも１つの光源を含む照明デバイスが提供される。更に、照明デバイスは、電界を生成する少なくとも２つの給電電極を含み、受電電極と電界との相対的配置は変化できる。このような変化は、例えば電界に対する受電電極の移動によって、及び／又は、電界の相対的配置を変えることによって生じる。光源及び／又は受電電極は、容器の非固体の充填材内に埋め込まれることが好適である。したがって、光源がその中で任意選択的に移動可能である光源の３次元構造をデザインすることができる。
【００５８】
本発明は、図面及び上記の記載において詳しく例示かつ説明されたが、当該例示及び説明は、例示であって限定と解釈されるべきではない。本発明は、開示された実施形態に限定されない。開示された実施形態に対する他の変更は、図面、開示内容及び添付の請求項の検討から、クレームされる発明を実施する際に、当業者によって理解かつ実現されよう。請求項において、「含む」との用語は、他の要素又はステップを排除するものではなく、また、「ａ」又は「ａｎ」との不定冠詞も、複数形を排除するものではない。単一の要素又は他のユニットが、請求項に記載される幾つかのアイテムの機能を発揮してもよい。特定の手段が相互に異なる従属請求項に記載されるからといって、これらの手段の組み合わせを有利に使用することができないことを示すものではない。請求項における任意の参照符号は、範囲を限定しているものと解釈されるべきではない。
【図１】
0006258863.tif 000002
【図２】
0006258863.tif 000003
【図３】
0006258863.tif 000004
【図４】
0006258863.tif 000005
【図５】
0006258863.tif 000006
【図６】
0006258863.tif 000007
【図７】
0006258863.tif 000008
【図８】
0006258863.tif 000009
【図９】
0006258863.tif 000010